(57)【要約】【課題】アーム部の天面に当たった雨水を漏れなく確実に軒樋内に流入させることができる雨樋吊具を提供する。【解決手段】軒先Ｎに沿わせて固定する縦板状の基台部４の上端前面から前方にアーム部５を突設する。軒樋３の上方開口縁をその前後端部で吊持する軒樋吊持体２をアーム部５の下方に沿わせて配置する。軒樋吊持体２をアーム部５の突出先端に前後方向にスライド自在に連結する。アーム部５の天面に亙ってアーム部５の幅方向端部が下方に傾斜する傾斜部７を形成する。傾斜部７の下端縁に傾斜部７を伝って流下した雨水を集水する導水溝６を形成する。導水溝６の排水部９を軒樋３の上方開口に臨ませるように位置させる。【選択図】        図１
2004232242.tif 000002
【特許請求の範囲】
【請求項１】
軒先に沿わせて固定する縦板状の基台部の上端前面から前方にアーム部を突設し、軒樋の上方開口縁をその前後端部で吊持する軒樋吊持体をアーム部の下方に沿わせて配置し、この軒樋吊持体をアーム部の突出先端に前後方向にスライド自在に連結した雨樋吊具であって、アーム部の天面に亙ってアーム部の幅方向端部が下方に傾斜する傾斜部を形成し、この傾斜部の下端縁に傾斜部を伝って流下した雨水を集水する導水溝を形成し、この導水溝の排水部を軒樋の上方開口に臨ませるように位置させたことを特徴とする雨樋吊具。
【請求項２】
導水溝を前方ほど下方に傾斜させ、この導水溝の前端に排水部を設けたことを特徴とする請求項１記載の雨樋吊具。
【請求項３】
アーム部を前方ほど下方に傾斜させたことを特徴とする請求項１記載の雨樋吊具。
【発明の詳細な説明】
【０００１】
【発明の属する技術分野】
本発明は、雨樋吊具に関する発明である。
【０００２】
【従来の技術】
従来から、屋根を伝って落下する雨水が流入される軒樋３は軒先Ｎに配置されるのであるが、施工現場毎に屋根の勾配などは異なっており、上記屋根を流れ落ちる勢いや流入角度などが異なる雨水を適宜軒樋３に流入させるには、軒樋３の配置位置を施工現場毎に調整する必要がある。軒樋３は軒先Ｎに固定した雨樋吊具に吊持させることで軒先Ｎに配置されるのであるが、この雨樋吊具にはたとえば図５，６に示すものがある。この雨樋吊具は、軒先Ｎに沿わせて固定する縦板状の基台部４の上端前面から前方にアーム部５を突設し、軒樋３の上方開口縁をその前後端部で吊持する軒樋吊持体２をアーム部５の下方に沿わせて配置し、この軒樋吊持体２をアーム部５に対して前後方向にスライド自在に連結して構成されたものである。この雨樋吊具によると、アーム部５に対して軒樋吊持体２をスライドさせることで軒樋吊持体２に吊持した軒樋３を軒先Ｎの前後方向の任意位置に配置できるから、基台部４を軒先Ｎに固定した状態の施工現場で軒樋３の位置調整を行い易くできたものである（たとえば、特許文献１参照）。
【０００３】
ところで、上述した軒樋３の位置調節機能を備えない一般的な雨樋吊具には、たとえば図７に示すものがある。この雨樋吊具は、軒先Ｎに沿わせて固定される基台部４と、この基台から前方に突設して軒樋３を吊持させるアーム部５とで構成されている。なお、このアーム部５は、軒樋３の上方開口縁をその前後端部で吊持するものであり、その天面には幅方向の端部程下方に傾斜する円弧形状が施されている。このアーム部５の天面の円弧形状によると、屋根から流れ落ちて軒樋３内に流入しようとする雨水がアーム部５の天面に降り掛かったときに、該雨水が天面で上方に跳ね返って軒樋３外に飛び出してしまうことを防止し、雨水を軒樋３内にスムーズに流入させることが図られている（図中矢印Ｃ）（たとえば、特許文献２参照）。
【０００４】
【特許文献１】
特開平４−１９４２５２号公報
【特許文献２】
特開平９−１１１９７９号公報
【０００５】
【発明が解決しようとする課題】
上記図５、６の雨樋吊具にあっても、アーム部５の天面に当たった雨水を軒樋３にスムーズに流入させることを目的に、図７の雨樋吊具を参考にしてアーム部５の天面を円弧形状などの雨水の跳ね返りを抑制した形状に施すことはできる。しかしながら、上記図５、６の雨樋吊具のように軒樋３の位置が前後に設定自在にされるものは、軒樋３が軒先Ｎから離れるように前方に位置されることもあり、アーム部５の突出基端部分ではその下方位置に軒樋３が位置しないこともある［図６（ｂ）］。しかして、軒樋３の上方に位置したアーム部５の天面に雨水が降り掛かり、この雨水のアーム部５の天面への衝撃や風などによって、上記雨水がアーム部５を後方に伝い、下方に軒樋３が位置しないアーム部５の部位から流れ落ちてしまうと、雨水が軒樋３内に流入されずにそのまま下方に滴り落ちてしまうこととなる（図中矢印Ｄ）。
【０００６】
本発明は上記の点に鑑みてなされたものであり、アーム部の天面に当たった雨水を漏れなく確実に軒樋内に流入させることができる雨樋吊具を提供することを課題とするものである。
【０００７】
【課題を解決するための手段】
上記課題を解決するために本発明に係る雨樋吊具は、軒先Ｎに沿わせて固定する縦板状の基台部４の上端前面から前方にアーム部５を突設し、軒樋３の上方開口縁をその前後端部で吊持する軒樋吊持体２をアーム部５の下方に沿わせて配置し、この軒樋吊持体２をアーム部５の突出先端に前後方向にスライド自在に連結した雨樋吊具であって、アーム部５の天面に亙ってアーム部５の幅方向端部が下方に傾斜する傾斜部７を形成し、この傾斜部７の下端縁に傾斜部７を伝って流下した雨水を集水する導水溝６を形成し、この導水溝６の排水部９を軒樋３の上方開口に臨ませるように位置させたことを特徴とする。これによると、たとえ軒樋吊持体２をアーム部５に対して前方に位置してアーム部５の突出基端の下方には軒樋３が位置されない状態となった場合にアーム部５に雨水が降り掛かっても、アーム部５の天面に亙って形成された傾斜部７によって上記雨水は導水溝６に集水され、集水された雨水は導水溝６の排水部９から軒樋３内に流入されるので、アーム部５の天面に当たった雨水を漏れなく確実に軒樋３内に流入させるようにできる。
【０００８】
また、導水溝６を前方ほど下方に傾斜させ、この導水溝６の前端に排水部９を設けたことも好ましい。これによると、導水溝６に集水された雨水は、導水溝６の傾斜に沿って排水部９に流れ、その勢いで排水部９から軒樋３内に流入されるので、導水溝６に集水された雨水を滞りなくスムーズに軒樋３内に流入させることができる。
【０００９】
また、アーム部５を前方ほど下方に傾斜させたことも好ましい。これによると、アーム部５の天面に降り掛かった雨水が、アーム部５に当たった勢いや風の影響によって、アーム部５の後方に移動しようとしても、アーム部５の傾斜によって上記雨水の後方への勢いを減衰させることができ、結果、上記雨水を導水溝６に集水できてスムーズに軒樋３内に流入させることができる。
【００１０】
【発明の実施の形態】
以下、本発明を添付図面に示す実施形態に基づいて説明する。
【００１１】
図１乃至図４に本発明の実施の形態の例を示す。図２，３に示すように、雨樋吊具は、大きく、軒先Ｎに固定させる固定基台１と、この固定基台１に支持されて軒樋３を吊持する軒樋吊持体２とで構成されている。
【００１２】
固定基台１は、図２に示すように、軒先Ｎに沿わせて固定される基台部４と、この基台部４の上端前面から略水平前方に突出されるアーム部５とで構成されている。基台部４は前面視矩形状の扁平な縦板状部位であり、四隅のコーナ部分にはそれぞれ前後に貫通して軒先Ｎに打入するビスや釘などの固定具（図示せず）を挿入させる固定用孔１１が形成されている。上記基台部４の前面における左右の中央部位で且つ上端部位からはアーム部５が突設されている。このアーム部５は、突出基端が固定端となり、突出先端が自由端となる片持ち梁状の突出部位であり、その全体形状が突出先端に向けて緩やかに下方に傾斜するように形成されている。具体的に、このアーム部５は、天面壁５ａの幅方向両端部からそれぞれ垂下壁５ｂを垂下させると共に、垂下壁５ｂの下端縁を外側且つ上方に折り返して上方に開口した導水溝６を形成させて主体が構成されている。ここで、天面にはその全体に亙って、アーム部５の幅方向端部が下方に傾斜する傾斜部７が形成されている。本例の傾斜部７は、アーム部５の幅方向中央に有した上方に突の稜線７ａから両幅方向に傾斜面７ｂを下方に向けて傾斜させた山形形状で構成されている。また、導水溝６は、アーム部５の突出基端から突出先端に亙るように前後方向に長く形成されているが、その全体形状には前方に向けて下方に傾斜する下方傾斜が施され、導水溝６の後端には基台部４への水の流下を防ぐ水返し８が施され、導水溝６の前端には前方に開口せる排水部９が形成されて構成されている。なお、アーム部５の突出先端部位には下方に一段下がる段部１０が形成されているが、この排水部９は導水溝６がこの段部１０に至った位置に形成されている。ここで、この段部１０には上下に貫通して内面には雌ねじが刻設された貫通孔（図示せず）が形成されている。この貫通孔には軒樋吊持体２を連結するビスなどの固着具１２が螺着される。また、このアーム部５は前方に行く程その幅寸法が小さくなるように形成されており、軒樋等の重量による曲げ応力が局所に集中してかかることが回避されていて剛性強度の向上が図られている。
【００１３】
ここで、軒樋吊持体２が吊持する軒樋３は、図４に示すように、底壁部１３の前端から前壁部１４を立設すると共に底壁部１３の後端から後壁部１５を立設した上方に開口せる縦断面Ｕ字状の長尺部材である。前壁部１４の上端には前耳部１６が後方に突出して形成されており、後壁部１５の上端には後耳部１７が前方に突出して形成されている。ここで、前壁部１４の内面と前耳部１６との間には後述する軒樋吊持体２の引掛け突起２２が挿入される挿入隙間１８が下方に開口して形成されている。
【００１４】
軒樋吊持体２は、図３に示すように、軒樋３の上方開口の前後に架け渡される長尺部材の主体部１９で主体が構成されており、この主体部１９には、その前端に軒樋３の前端部分を吊持する前吊持部２０を形成し、その後端に軒樋３の後端部分を吊持する後吊持部２１を形成している。具体的に、前吊持部２０は、主体部１９の前端から上方に突出した引掛け突起２２と、主体部１９の前端から下方に突出した押え突片２３とで構成されており、押え突片２３を軒樋３の前壁部１４の後面（内面）に押し当て、引掛け突起２２を軒樋３の挿入隙間１８に下方から挿入させることで、前吊持部２０が軒樋３の前端部分を吊持するようになっている（図４参照）。また、後吊持部２１は、主体部１９の後端から前後に間隔を隔てて一対の垂下部２４，２５を垂下し、前側の垂下部２４の後端に後方に係止突起２６を突設して構成されており、前後一対の垂下部２４，２５の間に軒樋３の後壁部１５を位置させ、前側の垂下部２４の係止突起２６上に軒樋３の後耳部１７を載せて係止させることで、後吊持部２１が軒樋３の後端部分を吊持するようになっている（図４参照）。上記のように、軒樋吊持体２は軒樋３の上方開口縁をその前後端部で吊持するものである。
【００１５】
上記軒樋吊持体２は固定基台１のアーム部５の突出先端部位に吊持されるのであるが、このとき軒樋吊持体２は固定基台１に対して前後方向の任意位置に位置決め可能にされている。詳しくは、図３（ｂ）に示すように、軒樋吊持体２の主体部１９におけるは上下に貫通すると共に前後に長い長孔２８が形成され、長孔２８の前後の任意位置にアーム部５の貫通孔を合わせて連通状態にし、この連通した長孔２８と貫通孔とにビスなどの固着具１２を挿通して締結させることで、軒樋吊持体２が前後方向に位置可変に固定基台１に連結されるようにされている。また、軒樋吊持体２を固定基台１に連結させた状態では、軒樋吊持体２の主体部１９の後部に上方に突設した上方突部３０が、アーム部５の天面壁５ａ及び垂下壁５ｂにて囲まれる摺動溝２９内に収まるようにされている。この上方突部３０によると、固定基台１に対して前方に軒樋吊持体２をスライドさせたとき、ある一定の位置で上方突部３０が段部１０に当たって軒樋吊持体２がそれ以上前方にスライドできないように規制され、軒樋吊持体２の固定基台１からの抜け落ちが防止されている。
【００１６】
上記構成の雨樋吊具は、図４に示すように、軒先Ｎに固定した固定基台１に対して軒樋吊持体２を前後方向に位置調整して固定し、屋根を流れる雨水を流入させ得る適宜位置に軒樋３を配置する。ここで、軒樋吊持体２はその前後端部で軒樋３の上方開口縁を吊持させ、そしてこの軒樋吊持体２はアーム部５の突出先端で連結されてアーム部５の下方に沿わせて配置されるので、軒樋３の上方開口の上方には軒樋吊持体２及びアーム部５の少なくともその突出先端部位が位置される。しかして、屋根を流れる雨水が軒樋３内に流入するときには、軒樋吊持体２及びアーム部５の少なくともその突出先端部位にその雨水の一部が降り掛かる。従来の雨樋吊具では、このアーム部５に降り掛かった雨水が軒樋３内に流入されずにそのまま落下するといった不具合が生じるものであったが、本例の雨樋吊具では上記不具合発生の防止が施されている。
【００１７】
これはまず、アーム部５が前方ほど下方に傾斜していることにある。これによると、アーム部５の天面に降り掛かった雨水をなるべく後方（突出基端側）に伝わせずに前方（突出先端側）に移動させるようにでき、アーム部５の突出先端部位の下方に位置される軒樋３内に流入できるようにされている。ここで、アーム部５の天面にある雨水は、傾斜部７に沿って流下して導水溝６に集水されるのであり、この導水溝６は前方程下方に傾斜すると共に導水溝６の前端には排水部９が設けられているから、導水溝６内に集水された雨水は導水溝６の傾斜に沿って前方に流れ、排水部９から軒樋３内にスムーズに流入できるようにされている（矢印Ａ）。
【００１８】
また、たとえアーム部５の天面に降り掛かった雨水が該天面への衝撃や風などによって後方（突出基端側）に伝うことがあっても、アーム部５が全体的に前方に下方傾斜しているから後方への移動の勢いは減衰され、天面には導水溝６に連続するように下方に傾斜する傾斜部７が形成されているから、上記後方への移動の勢いが減衰された雨水が傾斜部７に沿って下方に流下されて導水溝６内に集水され、導水溝６を前方に流れて排水部９から軒樋３内にスムーズに流入できるようにされている（矢印Ｂ）。このように、本例の雨樋吊具では、従来の雨樋吊具にある不具合が有効に防止され、アーム部５の天面に当たった雨水を漏れなく確実に軒樋３内に流入させるようにされているのである。
【００１９】
【発明の効果】
上記のように本発明の請求項１記載の発明にあっては、軒先に沿わせて固定する縦板状の基台部の上端前面から前方にアーム部を突設し、軒樋の上方開口縁をその前後端部で吊持する軒樋吊持体をアーム部の下方に沿わせて配置し、この軒樋吊持体をアーム部の突出先端に前後方向にスライド自在に連結した雨樋吊具であって、アーム部の天面に亙ってアーム部の幅方向端部が下方に傾斜する傾斜部を形成し、この傾斜部の下端縁に傾斜部を伝って流下した雨水を集水する導水溝を形成し、この導水溝の排水部を軒樋の上方開口に臨ませるように位置させたので、たとえ軒樋吊持体をアーム部に対して前方に位置してアーム部の突出基端の下方に軒樋が位置されない状態となった場合にアーム部に雨水が降り掛かったとしても、アーム部の天面に亙って形成された傾斜部によって上記雨水が漏れなく導水溝に集水され、排水部から軒樋内に流入されるようになり、つまりアーム部の天面に当たった雨水は漏れなく確実に軒樋内に流入されるようになるのである。
【００２０】
また、請求項２記載の発明にあっては、請求項１の効果に加え、導水溝を前方ほど下方に傾斜させ、この導水溝の前端に排水部を設けたので、導水溝に集水された雨水を滞りなくスムーズに軒樋内に流入させることができ、雨水の排水にかかる効率を向上させることができるのである。
【００２１】
また、請求項３記載の発明にあっては、請求項１の効果に加え、アーム部を前方ほど下方に傾斜させたので、雨水がアーム部に降り掛かった勢いや風などによってアーム部を後方に伝うよう移動しようとして、上記アーム部の傾斜によって雨水の後方への勢いを減衰させることができ、結果、雨水をスムーズに軒樋に流入させることができ、雨水の排水にかかる効率を向上させることができるのである。
【図面の簡単な説明】
【図１】本発明の実施の形態の雨樋吊具の斜視図である。
【図２】（ａ）は同上の固定基台の斜視図であり、（ｂ）は（ａ）のＥ−Ｅ線断面図である。
【図３】同上の軒樋吊持体の斜視図である。
【図４】同上の雨樋吊具を介して軒樋を軒先に配置した状態の側面断面図である。
【図５】従来技術の例を示す雨樋吊具の斜視図である。
【図６】（ａ）（ｂ）は同上の軒樋の配置位置を違えた状態の雨樋吊具の側面断面図である。
【図７】従来技術の他例を示す雨樋吊具を介して軒樋を軒先に配置した状態の斜視図である。
【符号の説明】
１  固定基台
２  軒樋吊持体
３  軒樋
４  基台部
５  アーム部
６  導水溝
７  傾斜部
７ａ  稜線
７ｂ  傾斜面
８  水返し
９  排水部
Ｎ  軒先
【図１】
2004232242.tif 000003
【図２】
2004232242.tif 000004
【図３】
2004232242.tif 000005
【図４】
2004232242.tif 000006
【図５】
2004232242.tif 000007
【図６】
2004232242.tif 000008
【図７】
2004232242.tif 000009